(57)【要約】【課題】輸送中の振動等によってランプ用包装箱どうしが擦れ合ってもランプ用包装箱の表面に傷がつきにくいことを可能にするランプ用包装箱３０を提供する。【解決手段】ランプ４０を収納するための包装箱であって、透明な側面５１ｂを有する筒体の構造を有する。その筒体は、側面５１ｂの下辺で囲まれた当該筒体の底面５０ｃの面積が、側面５０ｂの上辺で囲まれた当該筒体の上面５０ａの面積よりも小さくなるようなテーパ形状を有する。【選択図】図１Ａ
2014144779.tif 000002
【特許請求の範囲】
【請求項１】
ランプを収納するためのランプ用包装箱であって、
透明な側面を有する筒体の構造を有し、
前記筒体は、前記側面の下辺で囲まれた当該筒体の底面の面積が、前記側面の上辺で囲まれた当該筒体の上面の面積よりも小さくなるようなテーパ形状を有する
ランプ用包装箱。
【請求項２】
前記筒体は、四角柱であり、
前記四角柱を構成する４つの側面は、逆台形の形状を有する
請求項１記載のランプ用包装箱。
【請求項３】
前記ランプ用包装箱は、一枚の透明な樹脂製シートと、一枚の紙製シートとから構成され、
前記樹脂製シートは、少なくとも前記ランプ用包装箱の上面及び側面を構成し、
前記紙製シートは、少なくとも前記ランプ用包装箱の底面を構成している
請求項２記載のランプ用包装箱。
【請求項４】
前記紙製シートで構成された前記ランプ用包装箱の底面は、前記筒体の底面よりも前記筒体の上面に近い位置に配置され、
前記紙製シートで構成された前記ランプ用包装箱の底面には、前記ランプの口金を貫通させて外部に露出させるとともに前記ランプを固定するための貫通孔が形成されている
請求項３記載のランプ用包装箱。
【請求項５】
前記ランプ用包装箱の側面の下辺は、前記樹脂製シートが前記筒体の内側に向けて折り返されて形成され、
前記紙製シートは、前記ランプ用包装箱の底面を構成する４つの辺に接続された４つの片であって、前記樹脂製シートの折り返し箇所の内側に当接する４つの差し込み片を有する
請求項４記載のランプ用包装箱。
【請求項６】
前記樹脂製シートで構成された前記ランプ用包装箱の上面は、
前記ランプのグローブに接し、当該グローブを押さえる２つの内側フラップと、
前記２つの内側フラップを押さえる蓋フラップとから構成され、
前記２つの内側フラップの一部は、前記グローブの外形に沿って切り欠かれている
請求項３〜５のいずれか１項に記載のランプ用包装箱。
【請求項７】
前記樹脂製シートは、前記ランプ用包装箱の上面に接続された片であって、前記ランプ用包装箱を吊り下げるためのフック用貫通孔が形成されたフック用片を有する
請求項３〜６記載のランプ用包装箱。
【請求項８】
前記ランプ用包装箱は、ＬＥＤランプを収納するための包装箱である
請求項１〜７記載のランプ用包装箱。
【発明の詳細な説明】
【技術分野】
【０００１】
本発明は、ＬＥＤランプ等のランプを収納するための包装箱に関する。
【背景技術】
【０００２】
ランプは、割れ易いガラス等のグローブを有するため、ランプを収納する包装箱は、衝撃からランプを保護する機能を備えることが要求される。このような機能を備えたランプ用収納箱として、従来、様々な技術が提案されている（例えば、特許文献１参照）。
【０００３】
特許文献１に開示されたランプ用包装箱は、ランプの口金を上にし、ランプ用包装箱のフラップで押さえる構造を有する。これにより、ランプを確実に固定するというものである。
【先行技術文献】
【特許文献】
【０００４】
【特許文献１】特許第４１１３９３５号公報
【発明の概要】
【発明が解決しようとする課題】
【０００５】
しかしながら、上記従来のランプ用包装箱では、ランプを収納した複数のランプ用包装箱を段ボール箱等に同梱して輸送した場合等において、輸送中の振動によってランプ用包装箱どうしが擦れ合い、ランプ用包装箱の表面に傷がつき易いという問題がある。
【０００６】
特に、ランプ用包装箱に収納されたランプを開梱することなく外から見えるようにするためにブリスターパックのように透明の樹脂でランプ用包装箱が構成されている場合には、ランプ用包装箱の表面に傷がつき易く、外観上の問題を生じ得る。
【０００７】
そこで、本発明は、上記問題に鑑みてなされたものであり、輸送中の振動等によってランプ用包装箱どうしが擦れ合ってもランプ用包装箱の表面に傷がつきにくいことを可能にするランプ用包装箱を提供することを目的とする。
【課題を解決するための手段】
【０００８】
上記目的を達成するために、本発明の一形態におけるランプ用包装箱は、ランプを収納するためのランプ用包装箱であって、透明な側面を有する筒体の構造を有し、前記筒体は、前記側面の下辺で囲まれた当該筒体の底面の面積が、前記側面の上辺で囲まれた当該筒体の上面の面積よりも小さくなるようなテーパ形状を有する。
【０００９】
ここで、前記筒体は、四角柱であり、前記四角柱を構成する４つの側面は、逆台形の形状を有してもよい。
【００１０】
また、前記ランプ用包装箱は、一枚の透明な樹脂製シートと、一枚の紙製シートとから構成され、前記樹脂製シートは、少なくとも前記ランプ用包装箱の上面及び側面を構成し、前記紙製シートは、少なくとも前記ランプ用包装箱の底面を構成していてもよい。
【００１１】
また、前記紙製シートで構成された前記ランプ用包装箱の底面は、前記筒体の底面よりも前記筒体の上面に近い位置に配置され、前記紙製シートで構成された前記ランプ用包装箱の底面には、前記ランプの口金を貫通させて外部に露出させるとともに前記ランプを固定するための貫通孔が形成されていてもよい。
【００１２】
また、前記ランプ用包装箱の側面の下辺は、前記樹脂製シートが前記筒体の内側に向けて折り返されて形成され、前記紙製シートは、前記ランプ用包装箱の底面を構成する４つの辺に接続された４つの片であって、前記樹脂製シートの折り返し箇所の内側に当接する４つの差し込み片を有してもよい。
【００１３】
また、前記樹脂製シートで構成された前記ランプ用包装箱の上面は、前記ランプのグローブに接し、当該グローブを押さえる２つの内側フラップと、前記２つの内側フラップを押さえる蓋フラップとから構成され、前記２つの内側フラップの一部は、前記グローブの外形に沿って切り欠かれていてもよい。
【００１４】
また、前記樹脂製シートは、前記ランプ用包装箱の上面に接続された片であって、前記ランプ用包装箱を吊り下げるためのフック用貫通孔が形成されたフック用片を有してもよい。
【００１５】
また、前記ランプ用包装箱は、ＬＥＤランプを収納するための包装箱であってもよい。
【発明の効果】
【００１６】
本発明によれば、輸送中の振動等によってランプ用包装箱どうしが擦れ合ってもランプ用包装箱の表面に傷がつきにくくなる。
【００１７】
よって、本発明は、高効率で長寿命なＬＥＤランプが普及してきた今日において、その実用的価値は極めて高い。
【図面の簡単な説明】
【００１８】
【図１Ａ】図１Ａは、本発明の実施の形態におけるランプ用包装箱の外観図である。
【図１Ｂ】図１Ｂは、図１Ａに示されたランプ用包装箱の底面を示す外観図である。
【図２】図２は、複数のランプ用包装箱が段ボール箱等に同梱して輸送される様子を示す図である。
【図３】図３は、図１Ａに示されたランプ用包装箱を構成する樹脂製シートの展開図である。
【図４】図４は、図１Ａに示されたランプ用包装箱を構成する紙製シートの展開図である。
【図５】図５は、同樹脂製シートと同紙製シートとを用いてランプ用包装箱を組み立てる様子を示す図である。
【発明を実施するための形態】
【００１９】
以下、本発明に係るランプ用包装箱の実施の形態について、図面を参照しながら具体的に説明する。なお、以下で説明する実施の形態は、いずれも本発明の一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００２０】
図１Ａは、本発明の実施の形態におけるランプ用包装箱３０の外観図である。図１Ｂは、図１Ａに示されたランプ用包装箱３０の底面３１ｃを示す外観図である。
【００２１】
なお、図１Ａ及び図１Ｂでは、ランプ用包装箱３０に収納されたランプ４０も併せて図示されている。ランプ４０は、ＬＥＤランプ等のランプであり、内部の発光部を覆うグローブ４１と、給電を受ける口金４２を備える。また、本明細書において、「上」及び「下」とは、図１Ａに示されるようにランプ用包装箱３０が置かれた状態で、それぞれ、図面の上方及び図の下方に対応する。
【００２２】
このランプ用包装箱３０は、ＬＥＤランプ等のランプ４０を収納するための包装箱であって、収納されたランプ４０を外部から視認可能な程度の透明な側面５０ｂを有する筒体（ここでは、四角柱）の構造を有する。この筒体は、側面５０ｂの下辺で囲まれた当該筒体の底面５０ｃの面積が、側面５０ｂの上辺で囲まれた当該筒体の上面５０ａの面積よりも小さくなるようなテーパ形状を有する。つまり、筒体を構成する４つの側面５０ｂは、対向する側面間の距離が筒体の上面５０ａから筒体の底面５０ｃに向けて漸次小さくなるように形成されている。具体的には、４つの側面５０ｂは、逆台形の形状を有する。
【００２３】
このようなテーパ形状により、図２に示されるように、複数のランプ用包装箱３０ａ〜３０ｃが段ボール箱等に同梱して輸送された場合等においても、ランプ用包装箱３０ａ〜３０ｃの表面に傷がつきにくい。つまり、輸送中の振動によってランプ用包装箱３０ａ〜３０ｃどうしが擦れ合っても、ランプ用包装箱３０ａ〜３０ｃの側面どうしに隙間が形成されているので、ランプ用包装箱３０ａ〜３０ｃの側面に傷がつきにくい。
【００２４】
なお、ランプ４０は、ＬＥＤランプに限られず、白熱電球、及び、電球形蛍光灯等の他の種類のランプであってもよい。また、筒体の形状は、四角柱に限られず、上記テーパ形状を有する柱体であれば、三角柱、五角柱、六角柱、円柱等であってもよい。
【００２５】
このランプ用包装箱３０は、一枚の透明な樹脂製シート１０と、一枚の紙製シート２０とから構成される。樹脂製シート１０は、少なくともランプ用包装箱３０の上面３１ａ及び側面３１ｂを構成している。一方、紙製シート２０は、少なくともランプ用包装箱３０の底面３１ｃを構成している。
【００２６】
なお、本明細書では、ランプ用包装箱３０の上面３１ａ及び側面３１ｂは、筒体の上面５０ａ及び側面５０ｂと一致するが、ランプ用包装箱３０の底面３１ｃと筒体の底面５０ｃとは一致しない。筒体は、形状を表現するための概念である。上述したように、筒体の底面５０ｃは、筒体の側面５０ｂ（つまり、ランプ用包装箱３０の側面３１ｂ）の下辺で囲まれた仮想的な面である。一方、ランプ用包装箱３０の底面３１ｃは、現実（有体物として）の底面である。
【００２７】
本実施の形態では、紙製シート２０で構成されたランプ用包装箱３０の底面３１ｃは、筒体の底面５０ｃよりも筒体の上面５０ａに近い位置に配置されている。そして、図１Ｂに示されるように、そのランプ用包装箱３０の底面３１ｃには、ランプ４０の口金４２を貫通させて外部に露出させるとともにランプ４０を固定するための口金用貫通孔２４が形成されている。このように、ランプ４０の口金４２がランプ用包装箱３０の外部に露出することで、ランプ４０がランプ用包装箱３０に収納された状態で口金４２を介してランプ４０に電力を供給し、ランプ４０を点灯させることができる。このことは、ランプ用包装箱３０からランプ４０を取り出さずにランプ４０の明るさ等を確認することができるので、ランプ４０の購入を検討している消費者及びランプ４０の販売員等にとって便利である。
【００２８】
図３は、図１Ａに示されたランプ用包装箱３０を構成する樹脂製シート１０の展開図である。なお、この展開図における点線は、樹脂製シート１０がランプ用包装箱３０として組み立てられる際に折り曲げられる箇所を示している。
【００２９】
樹脂製シート１０は、一枚の透明の樹脂製のシートであり、例えば、厚みが０．２ｍｍのＰＥＴ（ＰｏｌｙＥｔｈｙｌｅｎｅ  Ｔｅｒｅｐｈｔｈａｌａｔｅ）製のより大きな四角形のシートを図３に示される輪郭及び貫通孔を有する形状にカットして得られる。この樹脂製シート１０は、領域（構成要素）として、フック用片１１ａ、内側フラップ１１ｂ、蓋フラップ１１ｃ、内側フラップ１１ｄ、４つの側面部１３ａ〜１３ｄ、折り込み片１４ａ、差し込み片１４ｄ、及び、４つの折り返し片１６ａ〜１６ｄを有する。
【００３０】
４つの側面部１３ａ〜１３ｄは、ランプ用包装箱３０の側面を構成する部材であり、逆台形（上辺の長さが底辺の長さより大きい台形）の形状を有し、側辺で連結されている。具体的には、４つの側面部１３ａ〜１３ｄは、例えば、上辺が６０ｍｍ、高さが１１１ｍｍ、底辺（下辺）が５１ｍｍの逆台形である。４つの側面部１３ａ〜１３ｄは、それぞれ、図１Ａに示されたランプ用包装箱３０の背側面、左側面、前側面、右側面に相当する。
【００３１】
側面部１３ａの側辺の一方には、折り込み片１４ａが連結されている。この折り込み片１４ａは、樹脂製シート１０をランプ用包装箱３０に組み立てる際に、折り曲げられた状態で、側面部１３ａと接する側面部１３ｄの内側に差し込まれる。その際に、側面部１３ａと側面部１３ｄとを繋ぎ合わせるために、側面部１３ｄの側辺の一方に、２つの差し込み片１４ｄが連結され、対応する側面部１３ａの側辺の一方に、それら２つの差し込み片１４ｄが差し込まれる２つの差し込み孔１５ａが形成されている。
【００３２】
側面部１３ａの上辺には、フック用片１１ａが連結されている。このフック用片１１ａは、図示された点線で折りたたんで用いられ、折りたたんだ状態で貫通する孔となるように、フック用片１１ａに２つのフック用貫通孔１２ａが形成されている。このフック用貫通孔１２ａに、ランプ用包装箱３０を吊り下げるためのフックを貫通させることで、ランプ４０が収納されたランプ用包装箱３０をフックで吊り下げて展示することができる。
【００３３】
側面部１３ｂ及び１３ｄの上辺には、それぞれ、内側フラップ１１ｂ及び１１ｄが連結されている。内側フラップ１１ｂ及び１１ｄは、ランプ用包装箱３０にランプ４０を収納した後、ランプ用包装箱３０の上面の蓋をする前に、ランプ用包装箱３０の内側に折られるフラップである。これら内側フラップ１１ｂ及び１１ｄは、図示された２つの点線でランプ用包装箱３０の内側に折り曲げられ、ランプ用包装箱３０に収納されたランプ４０のグローブ４１に接し、グローブ４１を下方に押さえる。つまり、２つの内側フラップ１１ｂ及び１１ｄは、ランプ４０の上部を固定するとともに、落下等におけるランプ４０への衝撃（上方、左方、右方、前方、及び、後方からの衝撃）に対する緩衝材として機能する。そのために、内側フラップ１１ｂ及び１１ｄには、それぞれ、ランプ４０のグローブ４１の外形に沿って切り欠かれた切り欠き孔１２ｂ及び１２ｄが形成されている。２つの切り欠き孔１２ｂ及び１２ｄは、内側フラップ１１ｂ及び１１ｄが２箇所で内側に折り込まれた状態でランプ用包装箱３０の上面を覆うように曲げられたときに、それぞれ、ランプ４０のグローブ４１の左上表面及び右上表面と接する形状を有する。具体的には、２つの切り欠き孔１２ｂ及び１２ｄは、２つの円弧で囲まれた孔として形成されている。
【００３４】
側面部１３ｃの上辺には、先端に差し込み片をもつ蓋フラップ１１ｃが連結されている。蓋フラップ１１ｃは、ランプ用包装箱３０の蓋として機能する。つまり、蓋フラップ１１ｃは、ランプ用包装箱３０にランプ４０が収納され、内側フラップ１１ｂ及び１１ｄがランプ４０のグローブ４１に接するように折り曲げられた後に、２つの内側フラップ１１ｂ及び１１ｄを上から押さえてランプ用包装箱３０に蓋をする。
【００３５】
４つの側面部１３ａ〜１３ｄの下辺には、それぞれ、折り返し片１６ａ〜１６ｄが連結されている。４つの折り返し片１６ａ〜１６ｄは、樹脂製シート１０がランプ用包装箱３０として組み立てられる際に、ランプ用包装箱３０の内側に折り返すように曲げられる。これは、後述するように、折り返し片１６ａ〜１６ｄの折り返し箇所の内側（折り曲げた内側）で、紙製シート２０の４つの差し込み片を当接させることで、紙製シート２０が、樹脂製シート１０に対してずれ落ちるのを防ぐためである。
【００３６】
なお、ランプ用包装箱３０のテーパ形状に関して、４つの側面部１３ａ〜１３ｄの形状は、上述のサイズに限定されない。つまり、上述の例では、４つの側面部１３ａ〜１３ｄの形状（逆台形）において、底辺（下辺）は、上辺の長さに対して、８５％（＝５１ｍｍ／６０ｍｍ）であったが、これに限られない。底辺（下辺）は、上辺の長さに対して、７０％以上、かつ、９５％以下であればよく、好ましくは、８０％以上、かつ、９０％以下である。面積を用いて言い換えると、次の通りである。つまり、図１Ａにおいて、ランプ用包装箱３０を構成する筒体の底面５０ｃの面積は、当該筒体の上面５０ａの面積に対して、４９％（約５０％）以上、かつ、９０％以下であればよく、好ましくは、６４％（約６５％）以上、かつ、８１％（約８０％）以下である。ランプ用包装箱３０のテーパ形状におけるテーパの程度は、大きいほど、同梱された隣接のランプ用包装箱３０との擦れによる傷がつきにくくなるが、逆に、安定性が悪くなり、ランプ用包装箱３０を積み重ねて展示したときに倒れ易くなる。よって、傷の防止と設置時の安定性という２つの観点から、上記のような範囲が望まれる。
【００３７】
図４は、図１Ａに示されたランプ用包装箱３０を構成する紙製シート２０の展開図である。なお、この展開図における点線は、紙製シート２０がランプ用包装箱３０として組み立てられる際に折り曲げられる箇所を示している。
【００３８】
紙製シート２０は、一枚の紙製のシートであり、例えば、より大きな四角形の一枚の紙製のシートを図４に示される輪郭及び貫通孔を有する形状にカットして得られる。紙製シート２０には、ランプ用包装箱３０に収納されるランプ４０の商品名及び仕様等を示す文字、絵及び模様等が印刷されている。
【００３９】
この紙製シート２０は、領域（構成要素）として、図４に示されるように、蓋片２１、２つの側面部２２ａ及び２２ｂ、底面部２３、並びに、４つの差し込み片２５ａ〜２５ｄを有する。これらの領域のうち、例えば、蓋片２１、側面部２２ｂ、及び、差し込み片２５ｂ〜２５ｄは、外部から視認できる領域であり、ランプ用包装箱３０の上述した各種デザインが印刷される。
【００４０】
２つの側面部２２ａ及び２２ｂは、逆台形の形状を有し、側辺で連結されている。この２つの側面部２２ａ及び２２ｂは、山折りして重ねられることで、図１Ａにおけるランプ用包装箱３０の背面を構成する。よって、これら２つの側面部２２ａ及び２２ｂのサイズは、樹脂製シート１０の側面部１３ａに重なる大きさ（例えば、上辺が５９ｍｍ、高さが１１１ｍｍ、底辺（下辺）が５０ｍｍの逆台形）である。
【００４１】
側面部２２ｂの上辺には、蓋片２１が連結されている。蓋片２１は、ランプ用包装箱３０にランプ４０を収納し、内側フラップ１１ｂ及び１１ｄを折り曲げてランプ４０のグローブ４１を覆った後に、折り曲げられて、それら２つの内側フラップ１１ｂ及び１１ｄを覆うように蓋をするのに用いられる。この蓋片２１でランプ用包装箱３０の上面が覆われた後に、その蓋片２１を覆うように、樹脂製シート１０の蓋フラップ１１ｃでランプ用包装箱３０の上面が蓋をされる。これにより、蓋片２１に印刷された商品名等のデザインは、透明の蓋フラップ１１ｃを介して外部から見える状態になる。
【００４２】
側面部２２ａの下辺には、差し込み片２５ａを介して、底面部２３が連結されている。底面部２３の四辺には、それぞれ、差し込み片２５ａ〜２５ｄが連結されている。側面部２２ａと差し込み片２５ａとは、連結箇所で谷折りされる。底面部２３と４つの差し込み片２５ａ〜２５ｄとは、各連結箇所で山折りされる。
【００４３】
底面部２３は、図１Ａに示されるランプ用包装箱３０の底面３１ｃを構成する部材である。この底面部２３には、ランプ４０の口金４２を貫通させて外部に露出させるとともにランプ４０の下部を固定するための口金用貫通孔２４が形成されている。
【００４４】
４つの差し込み片２５ａ〜２５ｄの先端（差し込み片２５ａについては、側面部２２ａとの連結箇所）は、樹脂製シート１０の折り返し片１６ａ〜１６ｄによる折り返し箇所の内側に当接する。これにより、紙製シート２０がずれ落ちることなく、樹脂製シート１０に固定される。
【００４５】
なお、上記４つの差し込み片２５ａ〜２５ｄによるだけでなく、底面部２３の大きさと、樹脂製シート１０の４つの側面部１３ａ〜１３ｄで囲まれた先細り空間の大きさとの関係からも、紙製シート２０がずれ落ちることが防止される。つまり、底面部２３は、４つの側面部１３ａ〜１３ｄで囲まれた先細り空間内に上方から挿入されるが、４つの側面部１３ａ〜１３ｄで囲まれたサイズが底面部２３のサイズと一致する箇所よりも奥（つまり、下方）には位置できない。よって、樹脂製シート１０による先細り構造（つまり、テーパ形状の構造）により、その空間内に挿入される紙製シート２０の底面部２３は、４つの側面部１３ａ〜１３ｄの下辺から一定の高さの位置に（上げ底として）保持される。
【００４６】
図５は、樹脂製シート１０と紙製シート２０とを用いてランプ用包装箱３０を組み立てる様子を示す図である。
【００４７】
まず、樹脂製シート１０及び紙製シート２０を、折り曲げ線（図３及び図４における点線）に沿って折り曲げることで、図５に示されるように、それぞれ、樹脂製シート１０だけからなる包装箱及び紙製シート２０だけからなる工作物を作成する。
【００４８】
つまり、樹脂製シート１０において、フック用片１１ａについては、中央の折り曲げ線で外側に折りたたみ、内側フラップ１１ｂ及び１１ｄについては、２つの折り曲げ線で内側に約９０度の角度で折り曲げる。さらに、折り返し片１６ａ〜１６ｄについては、それぞれ、側面部１３ａ〜１３ｄとの境界線で、内側に折りたたむ。最後に、側面部１３ａ〜１３ｄを、隣接の側面部と９０度になるように折り曲げ、折り込み片１４ａ及び差し込み片１４ｄを内側に折り曲げた後に、差し込み片１４ｄを差し込み孔１５ａに差し込む。
【００４９】
また、紙製シート２０において、側面部２２ａ及び２２ｂについては、それらの境界線で折り畳み、蓋片２１、差し込み片２５ａ〜２５ｄについても、図５に示されるように、折り曲げる。
【００５０】
そして、図５に示されるように、紙製シート２０だけからなる工作物を、樹脂製シート１０だけからなる包装箱の上面から中に挿入する。そのときに、紙製シート２０の４つの差し込み片２５ａ〜２５ｄが、それぞれ、樹脂製シート１０の４つの折り返し片１６ａ〜１６ｄの折り返し箇所の内側に当接するまで、挿入する。これにより、樹脂製シート１０及び紙製シート２０から構成されるランプ用包装箱３０が完成する。
【００５１】
その後、ランプ４０を、ランプ用包装箱３０の開放された上面から、口金４２が下になる向きで、ランプ用包装箱３０の中に挿入する。そして、樹脂製シート１０の２つの内側フラップ１１ｂ及び１１ｄを、ランプ４０のグローブ４１を押さえるように折り曲げた後に、紙製シート２０の蓋片２１で蓋をする。最後に、樹脂製シート１０の蓋フラップ１１ｃでランプ用包装箱３０の上面の蓋をする。これにより、ランプ４０が収納されたランプ用包装箱３０が完成する。
【００５２】
以上のように、本実施の形態におけるランプ用包装箱３０は、透明な側面５０ｂを有する筒体の構造を有する。そして、その筒体は、側面５０ｂの下辺で囲まれた当該筒体の底面５０ｃの面積が、側面５０ｂの上辺で囲まれた当該筒体の上面５０ａの面積よりも小さくなるようなテーパ形状を有する。これにより、複数のランプ用包装箱が段ボール箱等に同梱して輸送された場合等においても、ランプ用包装箱３０ａ〜３０ｃの側面どうしに隙間が形成されるので、ランプ用包装箱３０ａ〜３０ｃの表面に傷がつきにくい。
【００５３】
また、上記筒体は四角柱であり、四角柱を構成する４つの側面５０ｂは、対向する側面間の距離が筒体の上面５０ａから筒体の底面５０ｃに向けて漸次小さくなるように形成されている。つまり、四角柱を構成する４つの側面は、逆台形の形状を有する。これにより、ランプ用包装箱３０は、平面に設置したときの安定性が確保される。
【００５４】
また、ランプ用包装箱３０は、一枚の透明な樹脂製シート１０と、一枚の紙製シート２０とから構成される。そして、樹脂製シート１０は、少なくともランプ用包装箱３０の上面及び側面を構成し、紙製シート２０は、少なくともランプ用包装箱３０の底面を構成している。これにより、紙製シート２０の表面に商品名等を印刷して各種デザインを施したとしても、透明の樹脂製シート１０によって遮られることがない。つまり、樹脂製シート１０によってランプ用包装箱３０の堅牢さを確保し、紙製シート２０によってランプ用包装箱３０の表面に各種デザインを施すことができる。
【００５５】
また、紙製シート２０で構成されたランプ用包装箱３０の底面３１ｃは、筒体の底面５０ｃよりも筒体の上面５０ａに近い位置に配置されている。そして、紙製シート２０で構成されたランプ用包装箱３０の底面３１ｃには、ランプ４０の口金４２を貫通させて外部に露出させるとともにランプ４０を固定するための口金用貫通孔２４が形成されている。これにより、ランプ用包装箱３０からランプ４０を取り出さずにランプ４０を点灯させ、ランプ４０の明るさ等を確認することができるとともに、ランプ４０の下部がランプ用包装箱３０に固定される。
【００５６】
また、ランプ用包装箱３０の側面３１ｂの下辺は、樹脂製シート１０が筒体の内側に向けて折り返されて形成されている。そして、紙製シート２０は、ランプ用包装箱３０の底面３１ｃを構成する４つの辺に接続された４つの差し込み片２５ａ〜２５ｄを有する。その４つの差し込み片２５ａ〜２５ｄは、樹脂製シート１０の折り返し箇所の内側に当接している。これにより、紙製シート２０がずれ落ちることなく、樹脂製シート１０に固定される。
【００５７】
また、樹脂製シート１０で構成されたランプ用包装箱３０の上面３１ａは、２つの内側フラップ１１ｂ及び１１ｄと、それら２つの内側フラップ１１ｂ及び１１ｄを押さえて蓋をする蓋フラップ１１ｃとから構成される。それら２つの内側フラップ１１ｂ及び１１ｄは、ランプ４０のグローブ４１に接してグローブ４１を押さえるように、グローブ４１の外形に沿って切り欠かれている。これにより、ランプ４０の上部がランプ用包装箱３０に固定されるとともに、２つの内側フラップ１１ｂ及び１１ｄが、落下等におけるランプ４０への衝撃に対する緩衝材として機能する。
【００５８】
また、樹脂製シート１０は、ランプ用包装箱３０の上面３１ａに接続された片であって、ランプ用包装箱３０を吊り下げるためのフック用貫通孔１２ａが形成されたフック用片１１ａを有する。これにより、ランプ４０が収納されたランプ用包装箱３０をフックで吊り下げて展示することができる。
【００５９】
以上、本発明に係るランプ用包装箱について、実施の形態に基づいて説明したが、本発明は、これらの実施の形態に限定されるものではない。本発明の趣旨を逸脱しない限り、当業者が思いつく各種変形を本実施の形態に施したものや、それら実施の形態及び変形例における構成要素を組み合わせて構築される形態も、本発明の範囲内に含まれる。
【００６０】
たとえば、上記実施の形態では、ランプ用包装箱３０は、一枚の透明な樹脂製シート１０と一枚の紙製シート２０とから構成されたが、少なくとも透明な側面をもつ筒体の構造を有すれば、このような構成に限られない。たとえば、本発明に係るランプ用包装箱は、１つ以上の樹脂製シート又はブリスターパックだけから構成されてもよいし、そのような樹脂製シート又はブリスターパックと２枚以上の紙製シートとから構成されてもよい。いずれの構成であっても、ランプ用包装箱３０が透明の側面をもつテーパ形状を有する筒体の構造を有する限り、輸送中の振動等によってランプ用包装箱どうしが擦れ合ってもランプ用包装箱の表面に傷がつきにくいとう目的が達成される。
【００６１】
また、ランプ用包装箱３０に収納されるランプ４０のグローブ４１は、ガラス製であってもよいし、樹脂製であってもよい。いずれであっても、上記実施の形態におけるランプ用包装箱３０の構造により、落下等による衝撃から守られ、グローブ４１が破損することが回避され得る。
【００６２】
また、ランプ用包装箱３０を構成する樹脂製シート１０の厚みは、０．２ｍｍであったが、これに限られず、０．２ｍｍよりも薄くてもよいし、０．２ｍｍよりも厚くてもよい。ランプ用包装箱３０の堅牢さ、重さ、及び、コストのバランスに応じて、適宜、樹脂製シート１０の厚みを決定すればよい。
【産業上の利用可能性】
【００６３】
本発明は、ＬＥＤランプ等のランプを収納するための包装箱として、特に、複数のランプ用包装箱が段ボール箱等に同梱して輸送され振動を受けた場合等であっても、表面の擦れによる傷がつきにくいランプ用包装箱として利用できる。
【符号の説明】
【００６４】
１０  樹脂製シート
１１ａ  フック用片
１１ｂ、１１ｄ  内側フラップ
１１ｃ  蓋フラップ
１２ａ  フック用貫通孔
１２ｂ、１２ｄ  切り欠き孔
１３ａ〜１３ｄ  樹脂製シートの側面部
１４ａ  折り込み片
１４ｄ、２５ａ〜２５ｄ  差し込み片
１５ａ  差し込み孔
１６ａ〜１６ｄ  折り返し片
２０  紙製シート
２１  蓋片
２２ａ、２２ｂ  紙製シートの側面部
２３  底面部
２４  口金用貫通孔
３０、３０ａ〜３０ｃ  ランプ用包装箱
３１ａ  ランプ用包装箱の上面
３１ｂ  ランプ用包装箱の側面
３１ｃ  ランプ用包装箱の底面
４０  ランプ
４１  グローブ
４２  口金
５０ａ  筒体の上面
５０ｂ  筒体の側面
５０ｃ  筒体の底面
【図１Ａ】
2014144779.tif 000003
【図１Ｂ】
2014144779.tif 000004
【図２】
2014144779.tif 000005
【図３】
2014144779.tif 000006
【図４】
2014144779.tif 000007
【図５】
2014144779.tif 000008